(57)【要約】【課題】長さｌ１、幅ｗ１、厚さｔ１の比較的大型のメモリーカードと、長さｌ２、幅ｗ２、厚さｔ２の比較的小型のメモリーカードが、ｌ１＞ｌ２、ｌ２≧ｗ１＞ｗ２、ｔ１≧ｔ２の関係にある２種類のメモリーカードをそれぞれ同一方向からハウジング本体の対応するカード収容凹部へ挿入して接続するメモリーカード用コネクタにおいて、比較的大型のメモリーカードを収容するカード収容凹部へ比較的小型のメモリーカードを誤挿入しても確実に取り出すことができるメモリーカード用コネクタを提供する。【解決手段】比較的大型のメモリーカードを挿入するカード収容凹部を、幅ｗ１の方向に沿って比較的大型のメモリーカードを収容する横長長方形の輪郭に形成し、誤って比較的小型のメモリーカードを誤挿入しても、カード収容凹部の奥行きより長く、完全に挿入されないので、カード収容凹部から確実に取り出すことができる。【選択図】図８
2010212122.tif 000002
【特許請求の範囲】
【請求項１】
長方形板状の長手方向の長さｌ１、幅ｗ１、厚さｔ１の第１メモリーカードを収容する第１カード収容凹部と、長方形板状の長手方向の長さｌ２、幅ｗ２、厚さｔ２の第２メモリーカードを収容する第２カード収容凹部とが、互いに平行に鉛直方向の２段に分けて、ハウジング本体に形成され、
第１カード収容凹部と第２カード収容凹部がハウジング本体の同一側面側に開口し、同一方向から挿入されるｌ１＞ｌ２、ｌ２≧ｗ１＞ｗ２、ｔ１≧ｔ２の関係にある大小２種類の第１メモリーカードと第２メモリーカードの各電極に、それぞれ第１収容凹部内に臨む第１コンタクトと第２収容凹部内に臨む第２コンタクトが電気接続するメモリーカード用コネクタであって、
第１カード収容凹部を、ハウジング本体の開口からの奥行きが幅ｗ１より短く、幅ｗ１の方向に沿って挿入される第１メモリーカードを収容する横長長方形の輪郭に形成し、第１コンタクトを、第１カード収容凹部に横長に収容される第１メモリーカードの電極の部位に臨ませるとともに、
第２カード収容凹部を、ハウジング本体の開口からの奥行きが長さｌ２より短く、長さｌ２の方向に沿って挿入される第２メモリーカードを収容する縦長長方形の輪郭に形成し、第２コンタクトを、第２カード収容凹部に縦長に収容される第２メモリーカードの電極の部位に臨ませることを特徴とするメモリーカード用コネクタ。
【請求項２】
第１カード収容凹部の開口から奥行きに向かって、第１カード収容凹部の内方に傾斜する少なくとも一対の板バネ傾斜片が、第１カード収容凹部の内底面若しくは内頂面を基端として片持ち支持され、
前記一対の板バネ傾斜片は、第１カード収容凹部の開口から奥行きに向かうカード挿入方向に対して、互いに異なる方向から交差する向きで片持ち支持されていることを特徴とする請求項１に記載のメモリーカード用コネクタ。
【請求項３】
第１カード収容凹部は、絶縁プレートのコの字状凸部で囲われた凹部と、前記凹部を覆うように前記絶縁プレートに取り付けられた金属カバーとの間に形成され、
一対の板バネ傾斜片は、細長帯状の短手方向の一辺の基端を残して金属板から切り欠かれた帯状片が、基端で凹部に向かって斜めに折り曲げられ、金属カバーに片持ち支持されることを特徴とする請求項２に記載のメモリーカード用コネクタ。
【請求項４】
第１カード収容凹部の内奥面に、鉛直方向に沿った凹溝が凹設されていること特徴とする請求項１乃至請求項３のいずれか１項に記載のメモリーカード用コネクタ。
【請求項５】
第１メモリーカードが、ＳＩＭカードであり、第２メモリーカードがｍｉｃｒｏＳＤカードである請求項１乃至請求項４のいずれか１項に記載のメモリーカード用コネクタ。
【発明の詳細な説明】
【技術分野】
【０００１】
本発明は、携帯電話機、デジタルカメラ等の携帯電子機器に搭載されるメモリーカード用コネクタに関し、特に、２種類の大きさのメモリーカードを同方向から挿入して接続するメモリーカード用コネクタに関するものである。
【背景技術】
【０００２】
近年、携帯電話機、ゲーム機、デジタルカメラ等の携帯電子機器には、使用者の個人情報等が記憶された情報管理用のメモリーカードと、カメラで撮像した画像などの種々の情報を記憶する記録用のメモリーカードとを接続することが要望され、携帯電子機器に搭載するコネクタとして、２種類のメモリーカードをそれぞれ同時に接続可能なメモリーカード用コネクタが知られている。
【０００３】
このメモリーカード用コネクタは、２種類のメモリーカードを挿入するために、それぞれ独立した２種類のカード収容凹部がハウジング本体に形成されるが、コネクタを実装するプリント配線基板側の実装面積が拡大しないように、プリント配線基板の実装面と平行となる２種類のカード収容凹部をハウジング本体の上下の２段に分けて形成したメモリーカード用コネクタが知られている（特許文献１）。
【０００４】
この特許文献１に記載のメモリーカード用コネクタは、上下２段に分けられた各カード収容凹部の開口が、ハウジング本体の直交する側面にそれぞれ開口し、２種類のメモリーカードを互いに直交する方向から挿入させ、接続する直角方向挿入型のメモリーカード用コネクタとなっている。
【０００５】
一方、ハウジング本体の一側面に、２種類のカード収容凹部を開口させ、携帯電子機器の一方向から２種類のメモリーカードを挿入可能とした同方向挿入型のメモリーカード用コネクタも知られている。
【０００６】
この同方向挿入型のメモリーカード用コネクタは、半導体フロッピーディスクカード（Ｓｏｌｉｄ  Ｓｔａｔｅ  Ｆｌｏｐｐｙ  Ｄｉｓｋ  Ｃａｒｄ、以下スマートメディアカードという）とＳＤ（Ｓｅｃｕｒｅ  Ｄｉｇｉｔａｌ）カードの２種類のメモリーカードをそれぞれの外形に合わせたカード収容凹部へ挿入するものであり、比較的大型のスマートメディアカードの厚さは、比較的小型のＳＤカードの厚さより薄いために、スマートメディアカードを挿入するカード収容凹部へ小型のＳＤカードを挿入することはできず、また、スマートメディアカードも、開口幅が狭いＳＤカードを挿入するカード収容凹部へ挿入することができない構造となっていた。
【０００７】
従って、ハウジング本体の同一面に、２種類のカード収容凹部開口が開口していても、他側のメモリーカードを誤挿入することがなかった。
【先行技術文献】
【特許文献】
【０００８】
【特許文献１】特開２００５−１７３９４３号公報
【発明の概要】
【発明が解決しようとする課題】
【０００９】
従来の直角方向挿入型のメモリーカード用コネクタは、コネクタを搭載する携帯電子機器へ、直交する２方向から２種類のメモリーカードを挿入可能とするためにその構造が複雑化し、また、使用者にとっても、メモリーカード毎にカードを挿入する開口を探す必要があり、使い勝手が悪いという問題があった。
【００１０】
また、従来の同方向挿入型のメモリーカード用コネクタは、２種類の比較的大型のメモリーカードの厚さが、比較的小型のメモリーカードより薄ければ、大型のメモリーカードを収容するカード収容凹部の開口の高さを小型のメモリーカードの厚さより狭くすることにより、上述の通り、誤挿入を防止できるが、大型のメモリーカードの厚さが小型のメモリーカードの厚さ以上である場合には、誤挿入を防止できない。
【００１１】
例えば、２種類のメモリーカードが、長方形板状の長手方向の長さｌ１、幅ｗ１、厚さｔ１の情報管理用のメモリーカードである図１０（ａ）に示すＳＩＭ（Ｓｕｂｓｃｒｉｂｅｒ  Ｉｄｅｎｔｉｔｙ  Ｍｏｄｕｌｅ）カード５０と、長方形板状の長手方向の長さｌ２、幅ｗ２、厚さｔ２の記録用のメモリーカードである同図（ｂ）に示すＭｉｃｒｏＳＤ（Ｓｅｃｕｒｅ  Ｄｉｇｉｔａｌ）カード６０である場合には、両者は、ｌ１＞ｌ２、ｌ２≧ｗ１＞ｗ２、ｔ１≧ｔ２の関係となっている。
【００１２】
従って、ＳＩＭカード５０をその長手方向に沿って挿入して収容するＳＩＭカード収容凹部の開口は、横幅ｗ１、高さｔ１よりわずかに大きい長方形輪郭となり、横幅ｗ１より狭く、厚さがｔ１以下のｔ２であるＭｉｃｒｏＳＤカード６０は、誤ってＳＩＭカード収容凹部へ挿入可能となり、奥行きが長さｌ１よりわずかに短いだけのＳＩＭカード収容凹部内に、挿入方向の長さがｌ１＞ｌ２の関係にあるＭｉｃｒｏＳＤカード６０が完全に誤挿入されると、ＳＩＭカード収容凹部から取り出せないという問題が生じる。
【００１３】
従って、携帯電子機器の構造や使い勝手から、同方向挿入型のメモリーカード用コネクタが望まれているが、同方向挿入型のメモリーカード用コネクタに適用できる２種類のメモリーカードは、その種類が限られていた。
【００１４】
本発明は、このような従来の問題点を考慮してなされたものであり、２種類の大きさのメモリーカードを同一方向から挿入可能とするメモリーカード用コネクタで、他側のメモリーカードを収容するカード収容凹部へ、メモリーカードを誤挿入しても、確実に取り出すことができるメモリーカード用コネクタを提供することを目的とする。
【課題を解決するための手段】
【００１５】
上述の目的を達成するため、請求項１のメモリーカード用コネクタは、長方形板状の長手方向の長さｌ１、幅ｗ１、厚さｔ１の第１メモリーカードを収容する第１カード収容凹部と、長方形板状の長手方向の長さｌ２、幅ｗ２、厚さｔ２の第２メモリーカードを収容する第２カード収容凹部とが、互いに平行に鉛直方向の２段に分けて、ハウジング本体に形成され、第１カード収容凹部と第２カード収容凹部がハウジング本体の同一側面側に開口し、同一方向から挿入されるｌ１＞ｌ２、ｌ２≧ｗ１＞ｗ２、ｔ１≧ｔ２の関係にある大小２種類の第１メモリーカードと第２メモリーカードの各電極に、それぞれ第１収容凹部内に臨む第１コンタクトと第２収容凹部内に臨む第２コンタクトが電気接続するメモリーカード用コネクタであって、第１カード収容凹部を、ハウジング本体の開口からの奥行きが幅ｗ１より短く、幅ｗ１の方向に沿って挿入される第１メモリーカードを収容する横長長方形の輪郭に形成し、第１コンタクトを、第１カード収容凹部に横長に収容される第１メモリーカードの電極の部位に臨ませるとともに、第２カード収容凹部を、ハウジング本体の開口からの奥行きが長さｌ２より短く、長さｌ２の方向に沿って挿入される第２メモリーカードを収容する縦長長方形の輪郭に形成し、第２コンタクトを、第２カード収容凹部に縦長に収容される第２メモリーカードの電極の部位に臨ませることを特徴とする。
【００１６】
第１カード収容凹部のハウジング本体の開口からの奥行きは、第１メモリーカードの幅ｗ１より短いので、第１カード収容凹部に収容した第１メモリーカードを取り出し可能であり、また、第１カード収容凹部へ、第２メモリーカードをその長手方向に沿って誤って挿入しても、第２メモリーカードの長手方向の長さｌ２は、少なくとも第１カード収容凹部の奥行きより長く、第１カード収容凹部から取り出すことができる。
【００１７】
請求項２のメモリーカード用コネクタは、第１カード収容凹部の開口から奥行きに向かって、第１カード収容凹部の内方に傾斜する少なくとも一対の板バネ傾斜片が、第１カード収容凹部の内底面若しくは内頂面を基端として片持ち支持され、一対の板バネ傾斜片は、第１カード収容凹部の開口から奥行きに向かうカード挿入方向に対して、互いに異なる方向から交差する向きで片持ち支持されていることを特徴とする。
【００１８】
メモリーカードを、第１カード収容凹部の開口から奥行きに向かうカード挿入方向に沿って挿入すると、片持ち支持された板バネ傾斜片は、その基端側の内底面若しくは内頂面に向かって押し下げられ、第１カード収容凹部内に支障なくメモリーカードが収容される。また、メモリーカードを、第１カード収容凹部のカード挿入方向に対して交差する斜めに挿入すると、カード挿入方向に対して互いに異なる方向から交差する向きで片持ち支持された一対の板バネ傾斜片のいずれかの板バネ傾斜片の側方に、メモリーカードの先端が当接し、第１カード収容地凹部内に挿入できない。従って、第１カード収容凹部へ誤挿入する可能性のある第２メモリーカードは、カードの長手方向と第１カード収容凹部のカード挿入方向とがほぼ一致する向きで挿入された場合にのみ、第１カード収容部へ挿入可能であり、第１カード収容凹部の開口から一部が突出するので、確実に取り出すことができる。
【００１９】
また、第１カード収容凹部内に正しく収容された第１メモリーカードは、一対の板バネ傾斜片によって、対向する内頂面若しくは内底面側に付勢されるので、第１カート収容凹部内でがたつかずに収容される。
【００２０】
また、第１コンタクトが、一対の板バネ傾斜片が形成される内底面若しくは内頂面の対向面に配設されている場合には、第１メモリーカードの各電極は、一対の板バネ傾斜片により第１コンタクト側に付勢され、電極とコンタクト間に所定の接触圧が得られ、両者が確実に電気接続する。
【００２１】
請求項３のメモリーカード用コネクタは、第１カード収容凹部が、絶縁プレートのコの字状凸部で囲われた凹部と、前記凹部を覆うように前記絶縁プレートに取り付けられた金属カバーとの間に形成され、一対の板バネ傾斜片は、細長帯状の短手方向の一辺の基端を残して金属板から切り欠かれた帯状片が、基端で凹部に向かって斜めに折り曲げられ、金属カバーに片持ち支持されることを特徴とする。
【００２２】
一対の板バネ傾斜片は、第１カード収容凹部を形成する金属カバーを利用し、金属カバーから切り起こすプレス工程だけの簡単な加工で形成される。
【００２３】
請求項４のメモリーカード用コネクタは、第１カード収容凹部の内奥面に、鉛直方向に沿った凹溝が凹設されていることを特徴とする。
【００２４】
メモリーカードを、第１カード収容凹部のカード挿入方向に対して交差する斜めに挿入すると、メモリーカードの先端側角部が内奥面の凹溝に係合するとともに、メモリーカードの側面が第１カード収容凹部の内側面に当接し、斜めの姿勢では、第１カード収容地凹部内に挿入できない。従って、第１カード収容凹部へ誤挿入する可能性のある第２メモリーカードは、カードの長手方向と第１カード収容凹部のカード挿入方向とがほぼ一致する向きで挿入された場合にのみ、第１カード収容部へ挿入可能であり、第１カード収容凹部の開口から一部が突出し、確実に取り出すことができる。
【００２５】
請求項５のメモリーカード用コネクタは、第１メモリーカードがＳＩＭカードであり、第２メモリーカードがｍｉｃｒｏＳＤカードであることを特徴とする。
【００２６】
長方形板状の長手方向の長さｌ１、幅ｗ１、厚さｔ１のＳＩＭカードと、長方形板状の長手方向の長さｌ２、幅ｗ２、厚さｔ２のｍｉｃｒｏＳＤカードとは、ｌ１＞ｌ２、ｌ２≧ｗ１＞ｗ２、ｔ１≧ｔ２の関係にあり、長手方向で挿入するｍｉｃｒｏＳＤカードは、誤ってＳＩＭカードを収容する第１カード収容凹部へ挿入しても、確実に取り出すことができる。
【発明の効果】
【００２７】
請求項１の発明によれば、２種類のメモリーカードを同一方向から挿入するメモリーカード用コネクタであって、比較的大型の第１メモリーカードを収容する第１カード収容凹部に比較的小型の第２メモリーカードを誤挿入可能であっても、第２メモリーカードの長手方向の一側が第１カード収容凹部の開口から突出するので、必ず取り出すことができる。
【００２８】
請求項２の発明によれば、第２メモリーカードを第１カード収容凹部内に斜めに挿入することができないので、その一部が第１カード収容凹部の開口から突出し、確実に取り出すことができる。
【００２９】
また、第１カード収容凹部内に正しく収容された第１メモリーカードは、第１カート収容凹部内でがたつかずに収容され、第１コンタクトが、一対の板バネ傾斜片が形成される内底面若しくは内頂面の対向面に配設されている場合には、第１メモリーカードの各電極と対向する第１コンタクトは、所定の接触圧で確実に電気接続する。
【００３０】
請求項３の発明によれば、一対の板バネ傾斜片を、第１カード収容凹部を形成する金属カバーを利用して簡単な加工で形成することができる。
【００３１】
また、第１カード収容凹部に収容される第１メモリーカードは、板バネ傾斜片により絶縁プレートの凹部の方向に付勢されるので、第１メモリーカードの各電極は、絶縁プレートの凹部に臨む第１コンタクトと、所定の接触圧で確実に電気接続する。
【００３２】
請求項４の発明によれば、第２メモリーカードを第１カード収容凹部内に斜めに挿入することができないので、その一部が第１カード収容凹部の開口から突出し、確実に取り出すことができる。
【００３３】
請求項５の発明によれば、ｍｉｃｒｏＳＤカードは、その外形や電極の位置によって、カードの長手方向に挿入することが案内されているので、第１カード収容凹部へその短手方向に沿って挿入することがなく、誤ってＳＩＭカードを収容する第１カード収容凹部へ挿入しても、確実に取り出すことができる。
【図面の簡単な説明】
【００３４】
【図１】本発明の一実施の形態に係るメモリーカード用コネクタ１へ、ＳＩＭカード５０とｍｉｃｒｏＳＤカード６０を接続した状態を示す斜視図である。
【図２】金属カバー５の斜視図である。
【図３】６本のＬ字コンタクト３と８本の細長帯状コンタクト４が片持ち支持された絶縁プレート２の斜視図である。
【図４】ＳＩＭカード５０のカード挿入方向に直交する方向に沿って切断したメモリーカード用コネクタ１の縦断面図である。
【図５】下カード収容凹部７の横断面図である。
【図６】下カード収容凹部７の要部斜視図である。
【図７】下カード収容凹部７へｍｉｃｒｏＳＤカード６０を斜めに挿入した状態を示す斜視図である。
【図８】下カード収容凹部７へｍｉｃｒｏＳＤカード６０をカード挿入方向に沿って誤挿入した状態を示すメモリーカード用コネクタ１の斜視図である。
【図９】第２実施の形態に係るメモリーカード用コネクタ３０の下カード収容凹部３１へｍｉｃｒｏＳＤカード６０を斜めに挿入する状態を示す横断面図である。
【図１０】２種類のメモリーカードを示し、（ａ）は、ＳＩＭカード５０、（ｂ）は、ｍｉｃｒｏＳＤカード６０の平面図である。
【発明を実施するための形態】
【００３５】
以下、本発明の一実施の形態に係るメモリーカード用コネクタ１を、図１乃至図８を用いて説明する。本実施の形態の説明では、図４に図示する各方向を上下左右方向と、図４の紙面に直交する奥行き方向を後方と、同手前方向を前方としてメモリーカード用コネクタ１の各部を説明する。
【００３６】
このメモリーカード用コネクタ１に挿入して接続する２種類のメモリーカードは、前述したＳＩＭカード５０とｍｉｃｒｏＳＤカード６０であり、図１０（ａ）に示すように、ＳＩＭカード５０は、長手方向の長さｌ１、幅ｗ１、厚さｔ１の長方形板状のメモリーカードであり、ｍｉｃｒｏＳＤカード６０は、同図（ｂ）に示すように、長手方向の長さｌ２、幅ｗ２、厚さｔ２の長方形板状のメモリーカードである。両者は、ｌ１＞ｌ２、ｌ２≧ｗ１＞ｗ２、ｔ１≧ｔ２の関係にあり、メモリーカード用コネクタ１は、図１に示すように、比較的大型のＳＩＭカード５０と比較的小型のｍｉｃｒｏＳＤカード６０を、前方から後方の同一方向に挿入可能となっている。
【００３７】
メモリーカード用コネクタ１は、絶縁プレート２と、絶縁プレート２にそれぞれ片持ち支持された６本のＬ字コンタクト３及び８本の細長帯状コンタクト４と、一対のスイッチコンタクト１０と、絶縁プレート２の周囲を覆う金属カバー５とからなっている。
【００３８】
絶縁プレート２は、絶縁プラスチックにより外形が長方形薄板状に形成され、その上面に、ＭｉｃｒｏＳＤカード６０の長手方向の２側面と短手方向の１側面を囲う上枠部２ａと、下面に、ＳＩＭカード５０の短手方向の２側面と長手方向の１側面を囲う下枠部２ｂとが、それぞれ前方に向かって開口するコの字状に一体に形成されている。メモリーカード用コネクタ１のハウジング本体は、このように形成された絶縁プレート２と、長方形薄板状の絶縁プレート２の前面と後面を除く周囲を覆うように、図２に示す角筒状に折り曲げ形成された金属カバー５とから構成される。
【００３９】
金属カバー５は、絶縁プレート２の前方から装着され、前面に沿って折り曲げられたストッパー片５ａが絶縁プレート２の前面に当接する位置で、左右の側面から内側に切り起こされた切り起こし片５ｂが絶縁プレート２の両側面の凹溝に嵌入して、絶縁プレート２に固定される。金属カバー５を絶縁プレート２に固定することにより、上枠部２ａで囲われる絶縁プレート２の上面と金属カバー５との間にＭｉｃｒｏＳＤカード６０を収容する上カード収容凹部６が、下枠部２ｂで囲われる絶縁プレート２の下面と金属カバー５との間にＳＩＭカード５０を収容する下カード収容凹部７が、絶縁プレート２を介した上下二段に形成される。
【００４０】
金属カバー５の下面は、下カード収容凹部７の内底面となり、図２に示すように、その前方の開口寄りの位置には、互いに左右方向に所定の間隔を隔てて、前後方向に対して交差する方向に、４枚の板バネ傾斜片５ｃ、５ｄが上方に向けて切り起こされている。このうち、２枚の板バネ傾斜片５ｃは、金属カバー５の下面から、前方の一辺を残して左後方に向かって細長コの字状に切り欠かれ、前方の一辺を基端とし斜め上方に折り曲げて形成される。また、残る２枚の板バネ傾斜片５ｄも、金属カバー５の下面から、前方の一辺を残して右後方に向かって細長コの字状に切り欠かれ、前方の一辺を基端として斜め上方に折り曲げて形成される。従って、４枚の板バネ傾斜片５ｃ、５ｄは、いずれも後方に向かって下カード収容凹部７の内方に傾斜するとともに、その内の一組の板バネ傾斜片５ｃ、５ｄは、前後方向のカード挿入方向に対して、互いに異なる方向から交差するように、それぞれ金属カバー５に片持ち支持されるものとなっている。
【００４１】
金属カバー５と絶縁プレート２の間に形成される下カード収容凹部７は、前方からその短手方向に沿って挿入するＳＩＭカード５０を収容するため、横幅と高さがそれぞれｌ１、ｔ１よりそれぞれわずかに長い横長の輪郭で前方に開口し、開口から内奥面までの奥行きはＳＩＭカード５０の幅ｗ１より短い長さとなっている。
【００４２】
６本の各Ｌ字コンタクト３は、幅広で下面が突曲面となった凸面接触部３ａと、凸面接触部３ａの左側から後方へ引き出されるＬ字状の脚部３ｂとが、りん青銅からなる導電性薄肉金属板を鉛直方向に打ち抜いて形成される。図３に示すように、絶縁プレート２の上カード収容凹部６を避けた左側には、前後方向に沿って長方形の輪郭の第１コンタクト収容孔２ｃが２列に分けて形成され、インサート成形により、互いに絶縁して絶縁プレート２に片持ち支持される６本の各Ｌ字コンタクト３は、３本毎に各第１コンタクト収容孔２ｃに脚部３ｂの中間から凸面接触部３ａが右方に突出している。
【００４３】
片持ち支持される脚部３ｂとその自由端側の凸面接触部３ａは、固定端から下方に傾斜するようにプレストレスが付与され、凸面接触部３ａが第１コンタクト収容孔２ｃの下方で下カード収容凹部７内に突出した状態で、先端の位置決め片３ｃが第１コンタクト収容孔２ｃの周縁に上方から当接し、位置決めされる。凸面接触部３ａの前方下面側は、後方に向かって下方に傾斜する傾斜面となり、後方に向かって挿入されるＳＩＭカード５０が凸面接触部３ａ当接すると、脚部３ｂが撓み、上方の第１コンタクト収容孔２ｃ内に退避する。図１０（ａ）に示すように、ＳＩＭカード５０の６個の電極５１は、その上面の前方寄りに３行２列のマトリックス状に分散して露出し、各Ｌ字コンタクト３の凸面接触部３ａは、横長で収容されるＳＩＭカード５０の各電極５１の露出位置に対応して下カード収容凹部７内に突出している。
【００４４】
金属カバー５の上面と絶縁プレート２の間に形成される上カード収容凹部６は、前方からその長手方向に沿って挿入するＭｉｃｒｏＳＤカード６０を収容するため、横幅と高さがそれぞれｗ２、ｔ２よりそれぞれわずかに長い横長の輪郭で前方に開口し、開口から内奥面までの奥行きはＭｉｃｒｏＳＤカード６０の長手方向の長さｌ２より短い長さとなっている。図１０（ｂ）に示すように、ＭｉｃｒｏＳＤカード６０の８個の電極６１は、その下面の先端側一辺に沿って直線状に露出するので、長手方向に沿って挿入され、上カード収容凹部６に縦長で収容されるＭｉｃｒｏＳＤカード６０の各電極６１にそれぞれ接続する８本の細長帯状コンタクト４が絶縁プレート２に取り付けられている。
【００４５】
８本の細長帯状コンタクト４は、それぞれ図３に示すように、全体が細幅帯状に形成され、後方の先端に向かって上方に傾斜して支持される板バネ接触部４ａと、板バネ接触部４ａの前方に連結し、Ｕ字状に後方に引き出される脚部４ｂが、Ｌ字コンタクト３と同様に、りん青銅からなる導電性薄肉金属板を鉛直方向に打ち抜いて形成される。８本の細長帯状コンタクト４は、Ｌ字コンタクト３とともに絶縁プレート２にインサート成形されて絶縁プレート２に片持ち支持されるもので、上枠部２ａで囲われる絶縁プレート２の上面に横長長方形の輪郭で形成される第２コンタクト収容孔２ｄの前縁で脚部４ｂを片持ち支持し、その先端側に連結する板バネ接触部４ａを後方に向かって上方に傾斜させて、上カード収容凹部６内に突出させている。上カード収容凹部６内に突出する各板バネ接触部４ａは、上カード収容凹部６にその長手方向に沿って挿入されるＭｉｃｒｏＳＤカード６０の下面の一辺に沿って直線状に露出する８個の電極６１に弾性接触する。
【００４６】
スイッチコンタクト１０は、上カード収容凹部６へＭｉｃｒｏＳＤカード６０が挿入されたことを検知する為の一対の板バネ片であり、その自由端が上カード収容凹部６内で可動するように絶縁プレート２へ片持ち支持される。
【００４７】
このように構成されたメモリーカード用コネクタ１に、図１に示すように、ＳＩＭカード５０をその短手方向に沿って前方から下カード収容凹部７へ挿入すると、下カード収容凹部７の開口の横幅及び内壁面間の間隔は、ＳＩＭカード５０の長手方向の長さｌ１よりわずかに長いだけであるので、ＳＩＭカード５０は、下カード収容凹部７のカード挿入方向に沿った前後方向に案内されて挿入される。従って、前後方向に挿入されるＳＩＭカード５０は、下カード収容凹部７の内底面（金属カバー５の下面）に片持ち支持された４枚の板バネ傾斜片５ｃ、５ｄのいずれともわずかな角度で交差するだけなので、ＳＩＭカード５０の先端が、各板バネ傾斜片５ｃ、５ｄの基端から乗り上げ、板バネ傾斜片５ｃ、５ｄを下カード収容凹部７の内底面の方向に押し下げながら、下カード収容凹部７の内奥面に当接する位置まで挿入される。この挿入の間に、下カード収容凹部７の内頂面側から突出する６本のＬ字コンタクト３の各凸面接触部３ａの傾斜面にＳＩＭカード５０が当接し、各凸面接触部３ａは、第１コンタクト収容孔２ｃ内に退避しながら、脚部３ｂが上方に撓み、ＳＩＭカード５０の対応する各電極５１に弾性接触する。
【００４８】
このとき、内底面に片持ち支持された４枚の板バネ傾斜片５ｃ、５ｄは、ＳＩＭカード５０を下カード収容凹部７内で上方に付勢し、ＳＩＭカード５０が下カード収容凹部７内でがたつきなく収容されると共に、各電極５１を各凸面接触部３ａ側に付勢するので、両者が所定の接触圧でより確実に電気接続される。
【００４９】
また、上述のＳＩＭカード５０の挿入に前後して、メモリーカード用コネクタ１の上カード収容凹部６に、更に、ＭｉｃｒｏＳＤカード６０をその長手方向に沿って前方から挿入すると、上カード収容凹部６内で後方に向かって上方に傾斜する８本の細長帯状コンタクト４の各板バネ接触部４ａにＭｉｃｒｏＳＤカード６０が当接し、各板バネ接触部４ａは、第２コンタクト収容孔２ｄ内の下方に撓みながら、ＭｉｃｒｏＳＤカード６０の対応する各電極６１に弾性接触する。これにより、同一方向から挿入されるＳＩＭカード５０とＭｉｃｒｏＳＤカード６０は、上下の２段に分けて収容され、各カード５０、６０の電極５１、６１が対応するコンタクト３、４に電気接続する。
【００５０】
一方、上カード収容凹部６と下カード収容凹部７は、絶縁ハウジング２、５のいずれも前面に開口するので、比較的小型のＭｉｃｒｏＳＤカード６０を、ＳＩＭカード５０を収容する下カード収容凹部７へ誤挿入することがある。ＭｉｃｒｏＳＤカード６０は、図１０（ｂ）に示すように、その輪郭形状と後端に指で挟む凹段部６２が形成されているので、凹段部６２が形成された前端を持ってその長手方向に沿って下カード収容凹部７へ挿入することとなるが、下カード収容凹部７のカード挿入方向である前後方向に対して、図５、図７に示すように、斜めに挿入しようとすると、挿入方向に対して一組の板バネ傾斜片５ｃ、５ｄのいずれか（図５では、５ｃ）の側面にＭｉｃｒｏＳＤカード６０の先端が直角に近い角度で当接し、同じ姿勢では下カード収容凹部７内に挿入できない。従って、ＭｉｃｒｏＳＤカード６０が斜めの姿勢のまま下カード収容凹部７内に収容され、取り出せなくなることがなく、また、操作者は、下カード収容凹部７へ挿入できないことによって、ＭｉｃｒｏＳＤカード６０を誤挿入したことを認識し、正しい上カード収容凹部６へ挿入し直すことができる。
【００５１】
また、下カード収容凹部７のカード挿入方向（前後方向）に沿って誤挿入したＭｉｃｒｏＳＤカード６０は、４枚の板バネ傾斜片５ｃ、５ｄといずれともわずかな角度で交差するだけなので、ＭｉｃｒｏＳＤカード６０の先端は、各板バネ傾斜片５ｃ、５ｄの基端から乗り上げ、片持ち支持された板バネ傾斜片５ｃ、５ｄを下カード収容凹部７の内底面（金属カバー５の下面）の方向に押し下げながら、その先端が下カード収容凹部７の内奥面に当接する位置までカード挿入方向に沿った後方に向かって挿入される。ＭｉｃｒｏＳＤカード６０の先端を下カード収容凹部７の内奥面に当接するまで挿入しても、ＭｉｃｒｏＳＤカード６０の長手方向の長さｌ２は、ＳＩＭカード５０の横幅ｗ１とｌ２≧ｗ１の関係にあり、図８に示すように、ＳＩＭカード５０の横幅ｗ１より開口から内奥面までの奥行きが短い下カード収容凹部７の開口からＭｉｃｒｏＳＤカード６０の前端が突出して残り、誤挿入したＭｉｃｒｏＳＤカード６０を下カード収容凹部７から簡単に引き抜くことができる。
【００５２】
上述の実施の形態では、ＭｉｃｒｏＳＤカード６０は、その形状から操作者が長手方向に沿って挿入するように案内するので、下カード収容凹部７へ誤挿入する際にも、通常は自然に下カード収容凹部７の奥行き方向を長手方向として挿入するものであり、必ずその前端が下カード収容凹部７の開口から露出し、取り出し可能となる。更に、本実施の形態では、４枚の板バネ傾斜片５ｃ、５ｄを設けることによって、奥行き方向に対して斜めの姿勢でのＭｉｃｒｏＳＤカード６０の挿入を禁止するので、ＭｉｃｒｏＳＤカード６０を、下カード収容凹部７の奥行き方向を長手方向として挿入させ、下カード収容凹部７から確実に取り出すことができる。
【００５３】
下カード収容凹部の奥行き方向に対して、斜めの姿勢でのＭｉｃｒｏＳＤカード６０の挿入を禁止する手段としては、上記４枚の板バネ傾斜片５ｃ、５ｄに代えた他の構成を用いてもよい。図９は、斜めの姿勢でのＭｉｃｒｏＳＤカード６０の挿入を禁止する他の構成を有する本発明の第２実施の形態に係るメモリーカード用コネクタ３０の横断面図である。
【００５４】
このメモリーカード用コネクタ３０は、横長にＳＩＭカード５０を収容する下カード収容凹部３１の内奥面３１ａに、鉛直方向の多数の凹溝３２を任意の間隔で凹設している。図示するように、カード挿入方向（前後方向）に対して下カード収容凹部３１へ斜めの姿勢で誤挿入されるＭｉｃｒｏＳＤカード６０は、傾斜した先端の角部が内奥面３１ａまで到達すると、いずれかの凹溝３２に係合するとともに、その角部の前端が下カード収容凹部３１を構成する側壁３１ｂに当接するので、ＭｉｃｒｏＳＤカード６０の一部が下カード収容凹部３１の開口から突出して残された状態で、挿入ができなくなる。これにより、操作者は、誤挿入に気付き、開口から突出する一部を摘み、ＭｉｃｒｏＳＤカード６０を下カード収容凹部３１から簡単に引き抜くことができる。
【００５５】
この凹溝３２を凹設して、ＭｉｃｒｏＳＤカード６０の斜めの姿勢での挿入を禁止する構成は、上記第１実施の形態に係る板バネ傾斜片５ｃ、５ｄによる禁止手段と併用することも可能であり、両者を併用することにより、より確実にＭｉｃｒｏＳＤカード６０を下カード収容凹部７、３１のカード挿入方向に沿って挿入させることができる。
【００５６】
上述の実施の形態では、絶縁ハウジングの上方に、ＭｉｃｒｏＳＤカード６０を収容する上カード収容凹部６を、下方にＳＩＭカード５０を収容する下カード収容凹部７を形成しているが、絶縁ハウジングの同方向に両者が開口するものであれば、その配置は上下逆であってもよい。
【００５７】
また、４枚の板バネ傾斜片５ｃ、５ｄは、金属カバー５から切り起こして一体に形成しているので、メモリーカードの挿抜を繰り返しても疲労しにくい耐久性に優れたものとなっているが、必ずしも金属カバーから形成する必要はない。
【００５８】
更に、２種類のメモリーカードは、上述のＳＩＭカード５０及びＭｉｃｒｏＳＤカード６０に限らず、両者の外形が上述のｌ１＞ｌ２、ｌ２≧ｗ１＞ｗ２、ｔ１≧ｔ２の関係にあれば、他のメモリーカードの組合せであってもよい。
【産業上の利用可能性】
【００５９】
本発明は、２種類の大きさのメモリーカードを同方向からそれぞれ別の収容凹部へ挿入するメモリーカード用コネクタに適している。
【符号の説明】
【００６０】
１      メモリーカード用コネクタ
２      絶縁プレート（ハウジング本体）
２ｂ    下枠部（コの字状凸部）
３      Ｌ字コンタクト（第１コンタクト）
４      細長帯状コンタクト（第２コンタクト）
５      金属カバー（ハウジング本体）
５ｃ    板バネ傾斜片
５ｄ    板バネ傾斜片
６      上カード収容凹部（第２カード収容凹部）
７      下カード収容凹部（第１カード収容凹部）
３０    メモリーカード用コネクタ
３１    下カード収容凹部（第１カード収容凹部）
３１ａ  下カード収容凹部の内奥面
３２    凹溝
５０    ＳＩＭカード（第１メモリーカード）
５１    第１メモリーカードの電極
６０    ＳＤカード（第２メモリーカード）
６１    第２メモリーカードの電極
【図１】
2010212122.tif 000003
【図２】
2010212122.tif 000004
【図３】
2010212122.tif 000005
【図４】
2010212122.tif 000006
【図５】
2010212122.tif 000007
【図６】
2010212122.tif 000008
【図７】
2010212122.tif 000009
【図８】
2010212122.tif 000010
【図９】
2010212122.tif 000011
【図１０】
2010212122.tif 000012